(57)【要約】【課題】  一枚のシートから切り抜き立ち上げて簡単に使用できる手汚れ防止シートを提供する。【解決手段】  本発明の手汚れ防止シートは、一枚のシートで形成した手汚れ防止シートであって手首を装着する手首用リングと、小指等に装着する小指用リングを備えたことを特徴としシートに描かれた展開図を切り抜き折り曲げることで、どこでも誰でも簡単に手汚れ防止シートとして使用でき、使い捨ても可能であるとともに大きさや形にこだわることなく、また吸水性や吸湿性のある素材を使用することでインクなどの吸いとり用紙としても使用可能なシートによって解決した。【選択図】  図１
2014094468.tif 000002
【特許請求の範囲】
【請求項１】
１枚のシートで形成した手汚れ防止シートであって、手首を装着する手首用リングと、少なくとも小指を装着する小指用リングを備えたことを特徴とする手汚れ防止シート。
【請求項２】
前記手首用リングの形成方向に対して、前記小指用リングの形成方向が、角度を持って有することを特徴とする請求項１記載の手汚れ防止シート。
【請求項３】
前記小指用リングを小指のみに装着することを特徴とする請求項１又は２記載の手汚れ防止シート。
【請求項４】
前記手汚れ防止シートが、吸湿性と吸水性の少なくともいずれかを有することを特徴とする請求項１〜３のいずれかに記載の手汚れ防止シート。
【請求項５】
前記手汚れ防止シートが滑りやすい素材からなることを特徴とする請求項１〜４のいずれかに記載の手汚れ防止シート。
【発明の詳細な説明】
【技術分野】
【０００１】
本発明は、文字や絵を描くとき、手の汚れを防止するためのシートに関するものである。
【背景技術】
【０００２】
従来の手の汚れ防止としては、鉛筆などの汚れに対応するものはなく、吸い取り紙でインク、墨汁を吸い取るだけのものであった。
【０００３】
従って鉛筆や木炭、パステルなどを使用する場合、手の汚れは避けられないものであった。
【０００４】
吸い取り紙でインクや墨汁を吸い取るものとしての既出願として、特許文献１、特許文献２がある。上記特許文献１は、回転する転子に吸い取り紙を巻き付けたものを、手首に装着して使用するものであり、吸墨用として開発されたもので、汚れ防止とはなりにくい。
【０００５】
同様に特許文献２もインクの吸い取り用として開発されたものであり、この形状では手の汚れを防止することは難しい。
【先行技術文献】
【特許文献】
【０００６】
【特許文献１】登録実用新案第３７１５９号公報
【特許文献２】実開昭４８−０１５０８４号公報
【発明の概要】
【発明が解決しようとする課題】
【０００７】
本発明は上記特許文献１並びに特許文献２に記載の発明のように、吸い取り紙としての用途のみという従来の欠点を改良したものであり、鉛筆やパステルなどによる手の汚れを防ぐとともに、常に持ち歩けて使い捨ても可能であり、また表裏を使いわけることで、左右どちらの手にも装着でき、使用中に違和感を覚えることなく、長時間使用できる手汚れ防止シートを提供することを目的としている。
【課題を解決するための手段】
【０００８】
上記課題を解決するためになされた本願発明は、１枚のシートで形成した手汚れ防止シートであって、手首を装着する手首用リングと、少なくとも小指を装着する小指用リングを備えたことを特徴とする。
【０００９】
また、本願発明は、前記手首用リングの形成方向に対して、前記小指用リングの形成方向が、角度を持って有することを特徴とする。
【００１０】
また、本願発明は、前記小指用リングを小指のみに装着することを特徴とする。
【００１１】
また、本願発明は、前記手汚れ防止シートが、吸湿性と吸水性の少なくともいずれかを有することを特徴とする。
【００１２】
また、本願発明は、前記手汚れ防止シートが滑りやすい素材からなることを特徴とする。
【発明の効果】
【００１３】
本発明の手汚れ防止シートは文字または絵を描くとき、手の汚れを防止することができる。また手汚れ防止シートは一枚のシートで作られており、ミシン目打ちされた部分を切り抜き立ち上げることで利用できるため、誰でも簡単に用いることができ、持ち運びにも便利である。手首用リングと小指用リングを備えているので手に装着しやすく脱落しにくいので手にフィットする。手首用リングの形成方向に対して小指用リングの形成方向に角度を持たせているため、手に装着しても違和感を覚えることなく、長時間使用できる。使い捨ても可能である一方、吸湿性と吸水性の少なくともいずれかを有する素材を使用することにより、吸いとり用としても利用できる。なお本願の手汚れ防止シートはシートの表裏を逆にすることで左利き、右利きにかかわらず利用できる。
【図面の簡単な説明】
【００１４】
【図１】本発明の手汚れ防止シートを示す平面図である。
【図２】使用状態における本発明の手汚れ防止シート説明図である。
【図３】本発明の手汚れ防止シートの使用状態を示す斜視図である。
【図４】本発明の手汚れ防止シートを示す底面図である。
【発明を実施するための形態】
【００１５】
以下、本発明の手汚れ防止シートを、図面に従って詳細に説明する。
【実施例１】
【００１６】
図１は本発明の手汚れ防止シートの平面図である。また図２は使用状態における本発明の手汚れ防止シート説明図である。図３は本発明の手汚れ防止シートの使用状態を示す斜視図である。本発明の手汚れ防止シートは、シート１にミシン目打ちされた手首用リング開口部形成手段２と同じくミシン目打ちされた小指用リング開口部形成手段３より成り立つ。本実施例は右利きで使用する場合を示す。図４は本発明の手汚れ防止シートを示す底面図である。
【００１７】
まずシート１より手首用リング開口部形成手段２を切り取り立ち上げて手首用リング６とし、次に同じくシート１より小指用リング開口部形成手段３を切り取り立ち上げて小指用リング７とする。
【００１８】
初めミシン目打ちされた手首用リング開口部形成手段２とミシン目打ちされた小指用リング開口部形成手段３を立ち上げたとき、手首用リング６と小指用リング７が平行になるように設定したが、これでは書くとき小指を曲げるため、小指用リング７が小指と薬指の間にきちんとおさまらず、また、手と指の向きの違いから、手がシート１の中心よりずれて偏るために、不快であり違和感があることがわかった。
【００１９】
そこで小指用リング７を立ち上げるとき、手首用リング６が角度を持って有するため、手に装着しても違和感がないと考えた。すなわち両リングの形成方向が傾斜した方がよりフィットするのではないかと考えた。実施例においては、小指用リンク７を手首用リング６と平行の位置ではなく、平面視左下がりおよそ２０度〜４０度の角度に設けた。これによって、小指用リング７が小指と薬指の間におさまるようになるとともに、手がシート１の中心よりずれ、偏ることがなく、違和感を覚えることなく長時間装着できるようになり使い勝手が向上した。上記２０度〜４０度の角度が好適であるが、この角度に限定されるものではない。
【００２０】
さらに手首を自在に動かすことができるよう、手首用リング６は少し大きめとし、小指用リング７も小指を自由に動かせるよう、横幅を広く取った。
これで本発明が完成した。
【００２１】
次に本発明の手汚れ防止シートの使い方を順序だてて説明する。
まず本発明のシート１の手首用リング開口部形成手段２と小指用リング開口部形成手段３を切り抜き立ち上げて、手首用リング６と小指用リング７を設ける。手首を手首用リング６に通し、小指を小指用リング７に通して使用する。
【００２２】
本発明の手汚れ防止シートに使用する紙は、長時間手首に装着しても違和感を覚えることがないよう、自在に対応できる一定の強度と柔らかさを持つものとした。手汚れ防止シートの材質は、洋紙、和紙、吸い取り紙、その他の厚紙等が好適である。しかしながらこれに限定されるものではない。
【００２３】
またシートが汚れるため、使い捨て可能な安価な紙が求められる。試作においては、市販されている児童用の画用紙を使用した。
【００２４】
本発明の手汚れ防止シートは実施例に挙げただけでなく、吸湿性のある素材を使用することによって、吸い取り用紙としても使用することができる。手汚れ防止シートの素材は紙が好適であるが、これに限定するものではない。また、手の大きさに合わせて手汚れ防止シートの大きさを変えたり、形を変えたり、表裏で色を変えたり、さらに、学童の書き方練習用としても使用することができる。
【００２５】
また実施例では、本発明のシート１の形成手段を切り抜き立ち上げるためにミシン目打ちを設けたが、片押し、他の方法で何か所かを留める等、切り目をつけることができる。
【００２６】
本発明の手汚れ防止シートの材質は、上記の紙材質に限定されるものではなく、プラスチックフィルム等別の素材でもよい。例えばシリコンシートで装着してみると違和感があったが腰のあるＰＰフィルム、ＰＥＴフィルム、塩ビフィルム、ポリエチレンフィルムなどで試作したところ、すべりがよかった。各種のフィルム素材を使用する場合、あらかじめ折り目をつけるとシートで装着したとき使いやすいものになった。しかしこれらに限定されるものではない。
【００２７】
本発明の手汚れ防止シートは滑りやすい素材で構成されることで滑りやすくなりスムーズに手を動かすことが可能となり使い勝手が更に向上する。前記滑りやすいシートの例として、前記紙素材等が好適である。他にプラスチック素材にあっては、フッ素樹脂コーティング加工シート等が好適である。しかしこれらに限定されるものではない。
【産業上の利用可能性】
【００２８】
本発明の手汚れ防止シートは、鉛筆やパステル、木炭などによる手汚れを防ぐとともに、従来の吸い取り紙としても使用でき、使い捨ても可能で常に持ち歩け、また長時間手に装着して使用できるので教育現場等での用途も高く、産業上の利用価値は大きい。
【符号の説明】
【００２９】
１    シート
２    手首用リング開口部形成手段
３    小指用リング開口部形成手段
４    汚れ防止部
５    保持部（リング２つの部分）
６    手首用リング
７    小指用リング
８    筆記具
９    手指
１１  手汚れ防止シート
１２  手首
１３  小指
１４  手首用リングの形成方向
１５  小指用リングの形成方向
α    角度
Ｓ    吸湿性、吸水性素材
【図１】
2014094468.tif 000003
【図２】
2014094468.tif 000004
【図３】
2014094468.tif 000005
【図４】
2014094468.tif 000006
【手続補正書】
【提出日】平成25年7月31日(2013.7.31)
【手続補正１】
【補正対象書類名】特許請求の範囲
【補正対象項目名】全文
【補正方法】変更
【補正の内容】
【特許請求の範囲】
【請求項１】
１枚のシートで形成した手汚れ防止シートであって、手首を装着する手首用リングと、
少なくとも小指を装着する小指用リングを備えており、前記手首用リングの形成方向に対して、前記小指用リングの形成方向が、角度を持って有することを特徴とする前記手汚れ防止シート。
【請求項２】
前記小指用リングを小指のみに装着することを特徴とする請求項１記載の前記手汚れ防止シート。
【請求項３】
前記手汚れ防止シートが、吸湿性と吸水性の少なくともいずれかを有することを特徴と
する請求項１又は２に記載の前記手汚れ防止シート。
【請求項４】
前記手汚れ防止シートが滑りやすい素材からなることを特徴とする請求項１〜３のいずれかに記載の前記手汚れ防止シート。
【手続補正２】
【補正対象書類名】明細書
【補正対象項目名】０００８
【補正方法】変更
【補正の内容】
【０００８】
上記課題を解決するためになされた本願発明の請求項１は、１枚のシートで形成した手汚れ防止シートであって、手首を装着する手首用リングと、少なくとも小指を装着する小指用リングを備えており、前記手首用リングの形成方向に対して、前記小指用リングの形成方向が、角度を持って有することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
また、本願発明の請求項２は請求項１に記載の前記手汚れ防止シートにおいて、前記小指用リングを小指のみに装着することを特徴とする。
【手続補正５】
【補正対象書類名】明細書
【補正対象項目名】００１１
【補正方法】変更
【補正の内容】
【００１１】
また、本願発明の請求項３は請求項１又は２に記載の前記手汚れ防止シートにおいて、前記手汚れ防止シートが、吸湿性と吸水性の少なくともいずれかを有することを特徴とする。
【手続補正６】
【補正対象書類名】明細書
【補正対象項目名】００１２
【補正方法】変更
【補正の内容】
【００１２】
また、本願発明の請求項４は請求項１〜３のいずれかに記載の前記手汚れ防止シートにおいて、前記手汚れ防止シートが滑りやすい素材からなることを特徴とする。